(57)【要約】【課題】再利用可能な部品の検索範囲を拡大することのできる住宅用部品検索システムを提供する。【解決手段】コンピュータ本体１には、複数の異なる住宅メーカーが製造建設した住宅について、解体された住宅または解体予定の住宅で使用された部品のうち再利用可能な部品の情報である再利用可能部品情報を蓄積可能な再利用可能部品情報蓄積部４と、再利用可能な部品の入手を希望する入手希望者から、入手希望の部品の情報である入手希望部品情報と一致する部品情報が、再利用可能部品情報蓄積部４の中にあるか否かを検索する検索処理部５と、再利用可能部品情報である部品コードと、入手希望部品情報である部品コードとが、それぞれ異なる住宅メーカーにおける部品コードである場合に、一方の住宅メーカーにおける部品コードを、他方のメーカーにおける部品コードに変換する部品コード変換部６とが設けられている。【選択図】        図１
2004318272.tif 000002
【特許請求の範囲】
【請求項１】
複数の異なる住宅メーカーが製造建設した住宅について、解体された住宅または解体予定の住宅で使用された部品のうち再利用可能な部品の情報である再利用可能部品情報を蓄積可能な再利用可能部品情報蓄積部を有することを特徴とする住宅用部品検索システム。
【請求項２】
再利用可能な部品の入手を希望する入手希望者から、入手希望の部品の情報である入手希望部品情報と一致する部品情報が、前記再利用可能部品情報蓄積部の中にあるか否かを検索する検索処理部を有することを特徴とする請求項１に記載の住宅用部品検索システム。
【請求項３】
前記再利用可能部品情報である部品コードと、前記入手希望部品情報である部品コードとが、それぞれ異なる住宅メーカーにおける部品コードである場合に、一方の住宅メーカーにおける部品コードを、他方のメーカーにおける部品コードに変換する部品コード変換部を有することを特徴とする請求項２に記載の住宅用部品検索システム。
【請求項４】
前記部品情報蓄積部を有するサーバと、当該サーバと通信ネットワークで接続され、異なる住宅メーカーの拠点に配置された複数のクライアントコンピュータとからなり、前記各クライアントコンピュータからサーバへ、前記再利用可能部品情報と前記入手希望部品情報が送信可能とされ、前記サーバから前記各クライアントコンピュータへは、前記再利用可能部品情報蓄積部に蓄積された再利用可能部品情報の全て、または前記検索処理部によって検索された検索結果を送信可能とされていることを特徴とする請求項２又は３に記載の住宅用部品検索システム。
【発明の詳細な説明】
【０００１】
【発明の属する技術分野】
本発明は、解体された住宅に使用されていた部品または解体予定の住宅に使用されている部品のうち、再利用可能な部品を有効に活用するための住宅用部品検索システムに関する。
【０００２】
【従来の技術】
一般に、住宅は建築されてから長期間経つと、老朽化して建具（サッシ、ドア等）や設備（キッチン台、バスコア等）の部品の交換が必要となる。この場合、住宅メーカーの倉庫等に該当する部品の在庫があれば問題ないが、部品が旧型であって在庫がない場合などには部品の交換ができない。
【０００３】
そこで、中古の部品、すなわち解体された住宅に使用されていた部品または解体予定の住宅に使用されている部品の中から、再利用可能な部品を検索し利用する住宅用部品検索システムが提案されている（例えば、特許文献１参照）。
【０００４】
中古の部品を利用すれば、資源の再利用が促進されることになり、好ましいことである。
【０００５】
【特許文献１】
特開２００２−１９７２８４号公報（第２−４頁、図１）
【０００６】
【発明が解決しようとする課題】
しかしながら、上記従来の技術では、ある一つの住宅メーカー内に構築されたイントラネットを用いた検索システムであり、検索対象が当該住宅メーカーで製造建設した住宅の範囲に限られている。一つの住宅メーカーで製造建設した住宅だけでは、建設実績自体少ない場合もあり、検索しても再利用可能な部品が見つけられる確率は低い。
【０００７】
一方、建具（サッシ、ドア等）や設備（キッチン台、バスコア等）の部品は異なる住宅メーカーのものであっても、同一の建具メーカーや設備メーカーの部品を共通に使用していることが多い。この場合は、同じ部品でも各住宅メーカーで独自の部品コードを付している。
【０００８】
もし、部品の検索範囲を複数の住宅メーカーで製造建設した住宅まで拡大することができれば、それだけ再利用可能な部品が見つけられる確率は高くなるため、部品の検索範囲を拡大することについてニーズは強い。
【０００９】
本発明の課題は、再利用可能な部品の検索範囲を拡大することのできる住宅用部品検索システムを提供することにある。
【００１０】
【課題を解決するための手段】
上記課題を解決するために、請求項１に記載の発明は、複数の異なる住宅メーカーが製造建設した住宅について、解体された住宅または解体予定の住宅で使用された部品のうち再利用可能な部品の情報である再利用可能部品情報を蓄積可能な再利用可能部品情報蓄積部を有することを特徴としている。
【００１１】
上記構成によれば、再利用可能部品情報を予め再利用可能部品情報蓄積部に蓄積しておくことにより、再利用可能な部品の入手を希望する入手希望者は再利用可能部品情報蓄積部にアクセスして、再利用可能な部品の情報を取得する。
【００１２】
請求項２に記載の発明は、請求項１において、再利用可能な部品の入手を希望する入手希望者から、入手希望の部品の情報である入手希望部品情報と一致する部品情報が、前記再利用可能部品情報蓄積部の中にあるか否かを検索する検索処理部を有することを特徴としている。
【００１３】
上記構成によれば、入手希望者が入手希望部品情報を入力したとき、情報検索部は、入力された入手希望部品情報と一致する部品情報が再利用可能部品情報蓄積部の中にあるか否かを検索する。そして一致する部品情報が有る場合は「有」の信号を、無い場合は「無」の信号をそれぞれ出力する。
【００１４】
請求項３に記載の発明は、請求項２において、前記再利用可能部品情報である部品コードと、前記入手希望部品情報である部品コードとが、それぞれ異なる住宅メーカーにおける部品コードである場合に、一方の住宅メーカーにおける部品コードを、他方のメーカーにおける部品コードに変換する部品コード変換部を有することを特徴としている。
【００１５】
同一部品でも住宅メーカーが異なれば、部品コードは異なっている場合が多い。上記部品コード変換部を設けておけば、入手希望者が自社の部品コードを入力すると、その部品コードは複数の他社の部品コードに変換され、その変換された各部品コードに基づいて検索処理部が再利用可能部品情報蓄積部内を検索することができる。
【００１６】
請求項４に記載の発明は、前記再利用可能部品情報蓄積部を有するサーバと、当該サーバと通信ネットワークで接続され、異なる住宅メーカーの拠点に配置された複数のクライアントコンピュータとからなり、前記各クライアントコンピュータからサーバへ、前記再利用可能部品情報と前記入手希望部品情報が送信可能とされ、前記サーバから前記各クライアントコンピュータへは、前記再利用可能部品情報蓄積部に蓄積された再利用可能部品情報の全て、または前記検索処理部によって検索された検索結果を送信可能とされていることを特徴としている。
【００１７】
上記構成によれば、再利用可能部品情報蓄積部に再利用可能部品情報と入手希望部品情報を予め蓄積しておき、入手希望者がクライアントコンピュータから通信ネットワークを介してアクセスしたとき、サーバは、再利用可能部品情報の全てをクライアントコンピュータへ送信する。
【００１８】
また上記構成によれば、再利用可能部品情報蓄積部に再利用可能部品情報と入手希望部品情報が予め蓄積されているので、検索処理部は、再利用可能部品情報蓄積部の中に、入手希望部品情報に合致する再利用可能部品情報がないか否かを検索することができる。そしてサーバは、検索結果を通信ネットワークを介してクライアントコンピュータに送信する。
【００１９】
【発明の実施の形態】
以下、本発明の実施の形態を図面に従って説明する。
（実施の形態１）
図１は実施の形態１による住宅用部品検索システムの全体構成図である。図１に示すように、本住宅用部品検索システムはスタンドアローンのシステムであり、コンピュータ本体１、コンピュータ本体１に接続されたキーボードやマウス等からなる入力部２、およびコンピュータ本体１に接続されたディスプレイ３を有している。コンピュータ本体１の内部には、再利用可能部品情報蓄積部４、検索処理部５、および部品コード変換部６が設けられている。
【００２０】
再利用可能部品情報蓄積部４には、複数の異なる住宅メーカーが製造建設した住宅について、解体された住宅または解体予定の住宅で使用された部品のうち再利用可能な部品の情報である再利用可能部品情報が蓄積されている。なお、再利用可能部品情報蓄積部４には、複数の住宅メーカーの再利用可能部品情報を各社の部品コードで蓄積することができる。
【００２１】
検索処理部５は、再利用可能な部品の入手を希望する入手希望者から、入手希望の部品の情報である入手希望部品情報と一致する部品情報が、再利用可能部品情報蓄積部４の中にあるか否かを検索する機能を有する。
【００２２】
部品コード変換部６は、再利用可能部品情報である部品コードと、入手希望部品情報である部品コードとが、それぞれ異なる住宅メーカーにおける部品コードである場合に、一方の住宅メーカーにおける部品コードを、他方のメーカーにおける部品コードに変換する機能を有する。
【００２３】
上記構成の住宅用部品検索システムにおいて、入手希望者が住宅用部品の入手を希望する場合、入力部２からコンピュータ本体１の再利用可能部品情報蓄積部４にアクセスする。入手希望者は入手希望の部品を自社の部品コードで入力することもできる。部品コードで入力された場合、その部品コードのデータは、部品コード変換部６において複数の他社の部品コードに変換される。検索処理部５は、部品コード変換部６で変換された各社の部品コードに基づいて再利用可能部品情報蓄積部４を検索し、変換された部品コードに合致する部品コードが再利用可能部品情報蓄積部４の中にあるか否かを判断する。
【００２４】
そして、合致する部品コードが再利用可能部品情報蓄積部４の中にあれば、「有」の信号が、無い場合は「無」の信号がディスプレイ３にそれぞれ出力され、それらがディスプレイ３上に表示される。
【００２５】
本実施の形態によれば、再利用可能部品情報を予め再利用可能部品情報蓄積部４に蓄積しておくことにより、入手希望者は入力部２から再利用可能部品情報蓄積部４にアクセスして、再利用可能な部品の情報を容易に取得することができる。
【００２６】
（実施の形態２）
図２は実施の形態２による住宅用部品検索システムの全体構成図である。図２に示すように、住宅メーカー１１、住宅メーカー１２、および情報センタ１３が存在し、住宅メーカー１１にはクライアントコンピュータとして端末１４が、住宅メーカー１２にはクライアントコンピュータとして端末１５が、情報センタ１３にはサーバ１６がそれぞれ設けられている。そして端末１４、端末１５、およびサーバ１６は、それぞれファイアウオール１７，１８，１９を介して通信ネットワークとしてのインターネット２０に接続されている。また、住宅メーカー１１には工場２１が、住宅メーカー１２には工場２２がそれぞれ設置されている。なお、端末１４，１５には、コンピュータ本体や入力部（図１参照）が設けられているが、省略されている。
【００２７】
住宅メーカー１１，１２は、製造建設した複数種類の住宅について、解体された住宅または解体予定の住宅に使用の部品のうち、再利用可能な部品の部品情報を取得し、その部品情報をインターネット２０を介して情報センタ１３に送信する。すなわち、住宅メーカー１１，１２は情報提供者の機能を有している。
【００２８】
また、住宅メーカー１１，１２は、再利用可能な部品の入手を希望するときは、インターネット２０を介して情報センタ１３にアクセスする。すなわち、住宅メーカー１１，１２は入手希望者の機能も有している。
【００２９】
情報センタ１３のサーバ１６には、再利用可能部品情報蓄積部２３、処理部２４、および返信部２５が設けられている。再利用可能部品情報蓄積部２３は、住宅メーカー１１，１２からインターネット２０を介して送信されてくる部品についての部品情報を取り込んで、その部品情報を順次を蓄積する。ここで部品情報としては、住宅メーカー名、再利用可能な部品の種類、その部品を保管する倉庫の所在地（または再利用可能な部品を有する住宅の所在地）、再利用可能な部品の価格等がある。
【００３０】
上記構成の住宅用部品検索システムにおいて、例えば住宅メーカー１１は、自社工場２１で製造し建設した複数種類の住宅について、解体された住宅に使用されていた部品または解体予定の住宅に使用されている部品のうちから、再利用可能な部品の部品情報を取得した際、その部品情報を図の矢印Ａのようにインターネット２０を介して情報センタ１３に送信する。このとき、部品情報は端末１４のディスプレイ上に表示され、キーボード等を操作することにより送信する。
【００３１】
また、住宅メーカー１２も、自社工場２２で製造し建設した複数種類の住宅について、解体された住宅に使用されていた部品または解体予定の住宅に使用されている部品のうちから、再利用可能な部品の部品情報を取得して、その部品情報を図の矢印Ａのようにインターネット２０を介して情報センタ１３に送信する。このとき、部品情報は端末１５のディスプレイ上に表示され、キーボード等を操作することにより送信される。
【００３２】
情報センタ１３では、住宅メーカー１１から送信されてきた部品情報をサーバ１６内の再利用可能部品情報蓄積部２３に順次蓄積していく。
【００３３】
ここで、例えば住宅メーカー１２が、再利用可能な部品の入手を希望する場合、端末１５を操作して、アクセス信号を図の矢印Ｂのようにインタネット２０を介して情報センタ１３のサーバ１６に送信する。すると、サーバ１６は、前記アクセス信号に対して、再利用可能部品情報蓄積部２３に蓄積された部品情報を処理部２４が取り込んで、その部品情報の全てを返信部２５に送る。そして、返信部２５は、処理部２４から送られてきた部品情報の全てを図の矢印Ｃのようにインタネット２０を介して住宅メーカー１２の端末１５に伝送する。
【００３４】
本実施の形態では、住宅メーカー１２は端末１５のディスプレイ上に表示される部品情報の全てを見て、入手希望している部品があるか否かを自分で検索して見つけることになる。
【００３５】
なお、上記説明では住宅メーカー１２が入手希望者であったが、住宅メーカー１１が入手希望者になることもできる。
【００３６】
（実施の形態３）
次に実施の形態３について説明する。図３は実施の形態２による住宅用部品検索システムの全体構成図である。本実施の形態では、実施の形態２に比べて、情報センタ１３のサーバ１６内に部品コード変換部２６が追加され、さらに処理部２４（図２参照）の代わりに検索処理部２７が設けられている。
【００３７】
部品コード変換部２６は、異なる住宅メーカー１１，１２間における部品の部品コードを変換する。例えば、住宅メーカー１１における部品コード「ＡＡＡＡ」と住宅メーカー１２における部品コード「ＢＢＢＢ」が同一の部品である場合、部品コード変換部２６は部品コード「ＡＡＡＡ」を部品コード「ＢＢＢＢ」に、または逆に部品コード「ＢＢＢＢ」を部品コード「ＡＡＡＡ」にそれぞれ変換する。検索処理部２７は、部品コード変換部２６で変換された部品コードに基づいて、再利用可能部品情報蓄積部２３の中の部品情報の検索を行う。他の構成は実施の形態２の場合と同様である。
【００３８】
上記の部品コード変換部２６は、建具や設備の部材メーカでのノウハウを元に作成する。部材メーカーでは例えば自社部品コード「ＸＸＸＸ］なる部品に対し、住宅メーカーＡ社では「ＡＡＡＡ」という部品コードが付され、住宅メーカーＢ社では「ＢＢＢＢ」という部品コードが付されていることを把握している。よって、上記「ＸＸＸＸ」を介して「ＡＡＡＡ」から「ＢＢＢＢ」が変換できるのである。
【００３９】
上記構成の住宅用部品検索システムにおいて、例えば住宅メーカー１１，１２は、自社工場２１，２２でそれぞれ製造し建設した複数種類の住宅について、解体された住宅または解体予定の住宅に使用の部品のうちから、再利用可能な部品の部品情報を取得し、その部品情報を図の矢印Ａのようにインターネット２０を介して情報センタ１３に送信する。情報センタ１３では、送信されてきた部品情報をサーバ１６内の再利用可能部品情報蓄積部２３に順次蓄積する。このとき、再利用可能部品情報蓄積部２３内には、各部品の部品コード（例えば、「ＡＡＡＡ」や「ＢＢＢＢ」等）に基づいて部品情報が蓄積される。
【００４０】
ここで、例えば住宅メーカー１２が、再利用可能な部品の入手を希望する場合、端末１５を操作して、入手希望の部品の部品コード（例えば「ＢＢＢＢ」）を図の矢印Ｄのようにインタネット２０を介して情報センタ１３のサーバ１６に送信する。
【００４１】
すると、サーバ１６では、部品コード変換部２６が住宅メーカー１２の端末１５から送信されてきた部品コードを、住宅メーカー１１の部品についての部品コードに変換する（すなわち、部品コード「ＢＢＢＢ」を部品コード「ＡＡＡＡ」に変換する）。さらに、検索処理部２７が、部品コード変換部２６で変換された部品コードと同じ部品コードが再利用可能部品情報蓄積部２３内に蓄積されているか否かを検索する。
【００４２】
返信部２５は、検索処理部２７での検索結果を図の矢印Ｅのようにインタネット２０を介して住宅メーカー１２の端末１５に伝送する。この場合、入手希望の部品に該当するものがあれば、その部品が何処にあって、いつごろ入手可能か等の情報が端末１５のディスプレイ上に表示される。入手希望の部品に該当するものが無ければ、その旨が端末１５のディスプレイ上に表示される。
【００４３】
本実施の形態によれば、端末１５を操作するだけで、入手希望の部品の有無がサーバ１６側で自動的に検索され、入手希望者である住宅メーカー１２側の手間を大幅に省くことができる。
【００４４】
なお、本実施の形態でも、住宅メーカー１１が入手希望者になることもできる。
【００４５】
（実施の形態４）
次に実施の形態４について説明する。図４は実施の形態３による住宅用部品検索システムの全体構成図である。本実施の形態では、実施の形態３に比べて、再利用可能部品情報蓄積部２３内に、情報蓄積エリア２３Ａと情報蓄積エリア２３Ｂとが設けられている。情報蓄積エリア２３Ａには、住宅メーカー１１（又は１２）からインターネット２０を介して送信されてくる再利用可能の部品についての部品情報が蓄積される。情報蓄積エリア２３Ｂには、住宅メーカー１２（又は１１）からインターネット２０を介して送信されてくる入手希望の部品についての部品情報が蓄積される。他の構成は実施の形態３の場合と同様である。
【００４６】
上記構成の住宅用部品検索システムにおいて、例えば住宅メーカー１１，１２は、自社工場２１，２２でそれぞれ製造し建設した複数種類の住宅について、解体された住宅または解体予定の住宅に使用の部品のうちから、再利用可能な部品の部品情報を取得し、その部品情報を図の矢印Ａのようにインターネット２０を介して情報センタ１３に送信する。
【００４７】
一方、再利用可能な部品の入手を希望する住宅メーカー１２は、端末１５を操作して、入手希望の部品の部品コードを図の矢印Ｆのようにインタネット２０を介して情報センタ１３のサーバ１６に送信しておく。
【００４８】
サーバ１６は、住宅メーカー１１，１２から送信されてきた部品情報を情報蓄積エリア２３Ａに順次蓄積するとともに、住宅メーカー１２から送信されてきた部品コードを情報蓄積エリア２３Ｂに順次蓄積する。このとき、各部品の部品コードに基づいて部品情報が蓄積される。
【００４９】
サーバ１６は定期的に、部品コード変換部２６において、情報蓄積エリア２３Ｂに蓄積した部品コードを、住宅メーカー１１の部品についての部品コードに変換し、さらに、検索処理部２７において、部品コード変換部２６で変換された部品コードと合致する部品コードが情報蓄積エリア２３Ａ内に蓄積されているが否かを検索する。
【００５０】
返信部２５は、検索処理部２７における検索結果を図の矢印Ｇのようにインタネット２０を介して住宅メーカー１１の端末１４および住宅メーカー１２の端末１５に伝送する。端末１４，１５には、互に合致する部品があったか否かが表示される。
【００５１】
本実施の形態によれば、住宅メーカー１１は再利用可能な部品がある旨を、住宅メーカー１２は再利用可能な部品の入手希望がある旨を情報センタ１３に送信（登録）しておくだけで、合致する部品があるか否かをサーバ１６側で自動的に検索してくれるので、情報提供者である住宅メーカー１１および入手希望者である住宅メーカー１２側のそれぞれの手間を大幅に省くことができる。
【００５２】
なお、本実施の形態でも、住宅メーカー１１が入手希望者になることもできる。
【００５３】
上記実施の形態２〜４においては、通信ネットワークとしてインターネット２０を使用したが、インターネット２０以外の通信ネットワークを使用してもよい。
【００５４】
また、実施の形態２〜４では、住宅メーカーは住宅メーカー１１，１２の２社であったが、これに限らず、３社以上の住宅メーカーがインターネット２０に接続されていてもよい。多数の住宅メーカーからの部品情報が提供部品情報蓄積部２３に蓄積されている方が、再利用可能な部品が見つかる確率は高くなる。
【００５５】
さらに、実施の形態１〜４においては、解体された住宅または解体予定の住宅としては、一般の住宅だけでなく、展示住宅や試作住宅も含んでいる。
【００５６】
【発明の効果】
以上説明したように、本発明によれば、複数の異なる住宅メーカが製造建設した住宅について、再利用可能な部品の情報を容易に取得できるため、再利用可能な部品の検索範囲を拡大することができる。その結果、再利用可能な部品が見つけられる確率が高くなる。
【図面の簡単な説明】
【図１】実施の形態１による住宅用部品検索システムの全体構成図である。
【図２】実施の形態２による住宅用部品検索システムの全体構成図である。
【図３】実施の形態３による住宅用部品検索システムの全体構成図である。
【図４】実施の形態４による住宅用部品検索システムの全体構成図である。
【符号の説明】
１  コンピュータ本体
２  入力部
３  ディスプレイ
４  再利用可能部品情報蓄積部
５  検索処理部
６  部品コード変換部
１１  住宅メーカー
１２  住宅メーカー（入手希望者）
１３  情報センタ
１４，１５  端末（クライアントコンピュータ）
１６  サーバ
２０  インターネット（通信ネットワーク）
２３  再利用可能部品情報蓄積部
２３Ａ，２３Ｂ  情報蓄積エリア
２４  処理部
２５  返信部
２６  部品コード変換部
２７  検索処理部
【図１】
2004318272.tif 000003
【図２】
2004318272.tif 000004
【図３】
2004318272.tif 000005
【図４】
2004318272.tif 000006